(57)【特許請求の範囲】
【請求項１】
複数チャンネルのカラーの映像信号（Ｓ1、Ｓ11）を個別のペアー線（Ｌ1、Ｌ11）でそれぞれ伝送する映像信号振幅変復調方式であって、前記複数チャンネルの前記映像信号を振幅変復調する搬送波（Ｓ2、Ｓ12）はそれぞれ前記映像信号のバースト信号（Ｓ1a、Ｓ11a）のｎ、ｎ＋２、ｎ＋４、・・・倍（ｎは２以上の正の整数）としてそれぞれ異なるものであり、前記ペアー線の許容伝送帯域上限である３０MHz以下であり、かつ前記バースト信号とタイミングが合わされていることを特徴とする複数チャンネルペアー線伝送カラー信号振幅変復調方式。
【請求項２】
複数チャンネルのＣＣＤ撮像素子（５１、６１）からのカラーの画素信号（Ｓ51、Ｓ61）を個別のペアー線（Ｌ51、Ｌ61）でそれぞれ伝送する画素信号振幅変復調方式であって、前記複数チャンネルの前記画素信号を振幅変復調する搬送波（Ｓ52、Ｓ62）はそれぞれ前記ＣＣＤ撮像素子のサンプリング出力信号のクロック信号（Ｓ51a、Ｓ61a）のｎ、ｎ＋２、ｎ＋４、・・・倍（ｎは２以上の正の整数）としてそれぞれ異なるものであり、前記ペアー線の許容伝送帯域上限である３０MHz以下であり、かつ前記クロック信号とタイミングが合わされていることを特徴とする複数チャンネルペアー線伝送カラー信号振幅変復調方式。
【発明の詳細な説明】
【０００１】
【発明の属する技術分野】
本発明は複数チャンネルペアー線伝送カラー信号振幅変復調方式に係わり、特に複数チャンネルのカラーの映像信号および画素信号を低周波数帯域の搬送波で変復調させて伝送することが可能な複数チャンネルペアー線伝送カラー信号振幅変復調方式に関する。
【０００２】
【従来の技術】
従来からこの種の複数チャンネルペアー線伝送カラー信号周波数変復調方式に用いられた図３のブロック図に示す構成の複数チャンネル映像信号周波数変復調回路が提案されている。
同図に示す複数チャンネル映像信号周波数変復調回路は映像の発振源が２チャンネルの映像信号周波数変復調回路の構成を示すブロック図であり、１チャンネル部の映像信号源１０１に接続された電圧周波数変換素子１０２と、電圧周波数変換素子１０２にペアー線Ｌ101を介して接続されたパルスカウンタ復調素子１０３と、ローパスフィルタ（以下、ＬＰＦと称す）１０４と、２チャンネル部の映像信号源１１１に接続された基準周波数３倍の電圧周波数変換素子１１２と、電圧周波数変換素子１１２にペアー線Ｌ111を介して接続された周波数変調波の３分周変換素子１１３と、パルスカウンタ復調素子１１４と、ローパスフィルタ（以下、ＬＰＦと称す）１１５と、モニタ１０５とで構成されている。
【０００３】
このように構成された複数チャンネル映像信号周波数変復調回路において、１チャンネル部の映像信号源１０１から伝送されたカラーの映像信号（以下、カラー映像信号と称す）Ｓ101が電圧周波数変換素子１０２に入力されると、電圧周波数変換素子１０２は入力されたカラー映像信号Ｓ101の電圧に応じて周波数を変調した周波数変調信号Ｓ102をペアー線Ｌ101を介してパルスカウンタ復調素子１０３に出力する。パルスカウンタ復調素子１０３は入力された周波数変調信号Ｓ102の周波数に応じたパルス信号Ｓ103を出力する。このパルス信号Ｓ103はＬＰＦ１０４を通過して高周波成分が減衰（除去）され低周波成分が強調されたカラー映像復調信号Ｓ104としてモニタ１０５に入力され、モニタ１０５にて１チャンネル部の映像信号源１０１からのカラー映像が出画されていた。
【０００４】
次に、２チャンネル部の映像信号源１１１から伝送されたカラー映像信号Ｓ111が電圧周波数変換素子１１２に入力されると、電圧周波数変換素子１１２は入力されたカラー映像信号Ｓ111の電圧に応じて周波数を基準周波数の３倍で変調した周波数変調信号Ｓ112をペアー線Ｌ111を介して３分周変換素子１１３に出力する。３分周変換素子１１３は入力された周波数変調信号Ｓ112を３分周変換させた周波数変調信号Ｓ113としてパルスカウンタ復調素子１１４に出力する。パルスカウンタ復調素子１１４は入力された周波数変調信号Ｓ113の周波数に応じたパルス信号Ｓ114を出力する。このパルス信号Ｓ114はＬＰＦ１１５を通過して高周波成分が減衰（除去）され低周波成分が強調されたカラー映像復調信号Ｓ115としてモニタ１０５に入力され、モニタ１０５にて２チャンネル部の映像信号源１１１からのカラー映像が出画されていた。
【０００５】
【発明が解決しようとする課題】
しかしながら、従来の複数チャンネルペアー線伝送カラー信号周波数変復調方式に用いられた複数チャンネル映像信号周波数変復調回路では、（複数チャンネルの）各カラー映像信号の水平走査区間毎におけるバースト信号をサンプリングするタイミングが異なる場合には、水平走査区間毎に取り出される映像復調信号の振幅、位相が変化することから、モニタにて出画されるカラー映像の色が変化したりモアレが生じてしまうといった難点があり、また、２チャンネル分を周波数変調することはペアー線の周波数帯域が更に広く必要になるといった難点があった。
【０００６】
本発明は上述の難点を解消するためになされたもので、複数チャンネルのカラーの映像信号および画素信号の変調のタイミングをバースト信号およびサンプリング出力信号のクロック信号と同一にして復調信号に混入する干渉波の変化を低減させることにより、１チャンネルの帯域を狭くしてカラー信号２チャンネルの伝送を従来の白黒映像信号２チャンネルの帯域で伝送させ、モニタにて出画されるカラー映像およびカラー画素の色変化を防止した複数チャンネルペアー線伝送カラー信号振幅変復調方式を提供することを目的とする。
【０００７】
【課題を解決するための手段】
このような目的を達成するため、本発明による複数チャンネルペアー線伝送カラー信号振幅変復調方式は、複数チャンネルのカラーの映像信号を個別のペアー線でそれぞれ伝送する映像信号振幅変復調方式であって、複数チャンネルの映像信号を振幅変復調する搬送波はそれぞれ映像信号のバースト信号のｎ、ｎ＋２、ｎ＋４、・・・倍（ｎは２以上の正の整数）としてそれぞれ異なるものであり、ペアー線の許容伝送帯域上限である３０MHz以下であり、かつバースト信号とタイミングが合わされているものである。
【０００８】
また、本発明による複数チャンネルペアー線伝送カラー信号振幅変復調方式は、複数チャンネルのＣＣＤ撮像素子からのカラーの画素信号を個別のペアー線でそれぞれ伝送する画素信号振幅変復調方式であって、複数チャンネルの画素信号を振幅変復調する搬送波はそれぞれＣＣＤ撮像素子のサンプリング出力信号のクロック信号のｎ、ｎ＋２、ｎ＋４、・・・倍（ｎは２以上の正の整数）としてそれぞれ異なるものであり、ペアー線の許容伝送帯域上限である３０MHz以下であり、かつクロック信号とタイミングが合わされているものである。
【０００９】
このような複数チャンネルペアー線伝送カラー信号振幅変復調方式によれば、複数チャンネルのカラーの映像信号および画素信号を、それぞれ映像信号のバースト信号のｎ、ｎ＋２、ｎ＋４、・・・倍、ＣＣＤ撮像素子のサンプリング出力信号のクロック信号のｎ、ｎ＋２、ｎ＋４、・・・倍（ｎは２以上の正の整数）でタイミングが合致された低周波数帯域の搬送波で変復調させて伝送することにより、復調信号に混入する干渉波を低減させてカラー信号への悪影響を生じずに撮像されたそのままの正常な色のカラー映像およびカラー画素をモニタにて出画することができる。
【００１０】
【発明の実施の形態】
以下、本発明による複数チャンネルペアー線伝送カラー信号振幅変復調方式を適用した好ましい形態例について、一実施例として図面を参照して説明する。
図１は本発明による複数チャンネルペアー線伝送カラー信号振幅変復調方式の一実施例に用いられた映像の発振源が２チャンネルの複数チャンネル映像信号振幅変復調回路の構成を示すブロック図であり、カラー映像の撮像機能を有する１チャンネル部および２チャンネル部のＣＣＤ撮像素子１、１１と、ＣＣＤ撮像素子１、１１にてそれぞれ撮像された映像信号よりそれぞれ作成される赤、青、緑の原色映像信号から輝度信号を取得して、赤、青の原色信号からそれぞれ作成される赤色差信号、青色差信号を所定の位相差を持った色副搬送波でぞれぞれ平衡変調して輝度信号と合成したカラーの映像信号（以下、カラー映像信号と称す）Ｓ1、Ｓ11をそれぞれ出力する映像処理回路２、１２と、ＣＣＤ撮像素子１、１１をそれぞれ動作制御するとともにカラー映像信号Ｓ1、Ｓ11をそれぞれ振幅変復調するために、カラー映像信号Ｓ1、Ｓ11のバースト信号Ｓ1a、Ｓ11aのｎ、ｎ＋２、ｎ＋４、・・・倍（ｎは２以上の正の整数）、ここでは周波数が異なるバースト信号Ｓ1aの２倍の搬送波Ｓ2、バースト信号Ｓ11aの４倍の搬送波Ｓ12をそれぞれ出力するタイミング発生器３、１３と、前述の搬送波Ｓ2、Ｓ12によりそれぞれ動作制御されるアナログスイッチ４、１４と、アナログスイッチ４、１４よりそれぞれ出力される振幅変調された映像振幅変調信号Ｓ3、Ｓ13の伝送を中継してペアー線Ｌ1、Ｌ11を介して映像検波素子６、１６にそれぞれ送出するトランス５、１５と、ペアー線Ｌ1、Ｌ11をそれぞれ伝送された映像変復調信号Ｓ3、Ｓ13を２倍のバースト信号検波回路７、４倍のバースト信号検波回路１７にそれぞれ出力する映像検波素子６、１６と、入力された映像振幅変調信号Ｓ3、Ｓ13を、搬送波Ｓ2、Ｓ12にそれぞれ同期して振幅復調された映像振幅復調信号Ｓ4、Ｓ14として映像検波回路６、１６にそれぞれ出力する２倍のバースト信号検波回路７、４倍のバースト信号検波回路１７と、各検波回路７、１７を介した映像振幅復調信号Ｓ4、Ｓ14をそれぞれ入力して各チャンネルのＣＣＤ撮像素子１、１１にて撮像されたカラー映像を出画するモニタ８とで構成されている。また、搬送波Ｓ2、Ｓ12は各ペアー線Ｌ1、Ｌ11の許容伝送帯域上限である３０MHz以下の低周波数帯域で、かつ各カラー映像信号Ｓ1、Ｓ11のバースト信号Ｓ1a、Ｓ11aとそれぞれタイミングが合致されている。
【００１１】
タイミング発生器３、１３の出力側にはＣＣＤ撮像素子１、１１の制御入力側とアナログスイッチ４、１４の制御入力側がそれぞれ接続されており、ＣＣＤ撮像素子１、１１の出力側には映像処理回路２、１２をそれぞれ介してアナログスイッチ４、１４の入力側がそれぞれ接続されている。また、アナログスイッチ４、１４の出力側には２線の信号伝送線Ｌ2およびＬ3、Ｌ12およびＬ13をそれぞれ介してトランス５、１５の１次側がそれぞれ接続されており、トランス５、１５の２次側にはペアー線Ｌ1、Ｌ11をそれぞれ介して映像検波素子６、１６の入力側がそれぞれ接続されている。更に、映像検波素子６、１６の入出力側には２倍のバースト信号検波回路７、４倍のバースト信号検波回路１７が、出力側にはモニタ８がそれぞれ接続されている。
【００１２】
このように構成された複数チャンネル映像信号振幅変復調回路が用いられた複数チャンネルペアー線伝送カラー信号振幅変復調方式において、以下、複数チャンネルのカラー映像信号の伝送方法について説明する。
タイミング発生器３により動作制御され能動にされた１チャンネル部のＣＣＤ撮像素子１より出力された映像信号は映像処理回路２を介して適宜に信号処理されたカラー映像信号Ｓ1としてアナログスイッチ４に入力される。また、タイミング発生器３はアナログスイッチ４を動作制御して入力されたカラー映像信号Ｓ1を振幅変調させるために、カラー映像信号Ｓ1のバースト信号Ｓ1aの２倍の搬送波Ｓ2をアナログスイッチ４に出力する。
【００１３】
アナログスイッチ４に入力されたカラー映像信号Ｓ1は搬送波Ｓ2で振幅変調された映像振幅変調信号Ｓ3として、アナログスイッチ４の動作制御によりその接続が交互に切り替わる２線の信号伝送線Ｌ2、Ｌ3、トランス５、ペアー線Ｌ11を介して映像検波素子６に入力される。
映像検波素子６に入力された映像振幅変調信号Ｓ3は２倍のバースト信号検波回路７に伝送され、２倍のバースト信号検波回路７は入力された映像振幅変調信号Ｓ3をカラー映像信号Ｓ1のバースト信号Ｓ1aとタイミングが合致された搬送波Ｓ2に同期して復調された映像振幅復調信号Ｓ4として映像検波素子６を介してモニタ８に出力する。
【００１４】
次に、タイミング発生器１３により動作制御され能動にされた２チャンネル部のＣＣＤ撮像素子１１より出力された映像信号は映像処理回路１２を介して適宜に信号処理されたカラー映像信号Ｓ11としてアナログスイッチ１４に入力される。また、タイミング発生器１３はアナログスイッチ１４を動作制御して入力されたカラー映像信号Ｓ11を振幅変調させるために、カラー映像信号Ｓ11のバースト信号Ｓ11aの４倍の搬送波Ｓ12をアナログスイッチ１４に出力する。
【００１５】
アナログスイッチ１４に入力されたカラー映像信号Ｓ11は搬送波Ｓ12で振幅変調された映像振幅変調信号Ｓ13として、アナログスイッチ１４の動作制御によりその接続が交互に切り替わる２線の信号伝送線Ｌ12、Ｌ13、トランス１５、ペアー線Ｌ1を介して映像検波素子１６に入力される。
映像検波素子１６に入力された映像振幅変調信号Ｓ13は４倍のバースト信号検波回路１７に伝送され、４倍のバースト信号検波回路１７は入力された映像振幅変調信号Ｓ13をカラー映像信号Ｓ11のバースト信号Ｓ11aとタイミングが合致された搬送波Ｓ12に同期して復調された映像振幅復調信号Ｓ14として映像検波素子１６を介してモニタ１８に出力する。よって、モニタ８に入力された複数チャンネル（２チャンネル分）の各映像振幅復調信号Ｓ4、Ｓ14には不要な干渉波が存在せずカラー映像信号Ｓ1、Ｓ11のバースト信号Ｓ1a、Ｓ11aにタイミングを一致させて変復調することが可能であることから、各ＣＣＤ撮像素子１、１１にて撮像されたカラー映像は色ずれを生じずに撮像されたそのままの正常な色でモニタ８にて出画することができる。
【００１６】
尚、上記実施例では複数チャンネルのＣＣＤ撮像素子にて撮像されたカラー映像信号を該映像信号のバースト信号とタイミングが合致された搬送波で変復調させて伝送する場合について説明したが、複数チャンネルのＣＣＤ撮像素子より出力されるカラー画素信号を該ＣＣＤ撮像素子のサンプリング出力信号のクロック信号とタイミングが合致された搬送波で変復調させて伝送する場合について、以下、本発明の他の実施例として説明する。
【００１７】
図２は本発明による複数チャンネルペアー線伝送カラー信号振幅変復調方式の他の実施例に用いられた映像（画素）の発振源が２チャンネルの複数チャンネル画素信号振幅変復調回路の構成を示すブロック図であり、カラー映像の撮像機能を有し、１チャンネルおよび２チャンネルで撮像された離散的なカラーの画素信号（以下、カラー画素信号と称す）Ｓ51、Ｓ61をそれぞれ出力するＣＣＤ撮像素子５１、６１と、ＣＣＤ撮像素子５１、６１をそれぞれ動作制御するとともにカラー画素信号Ｓ51、Ｓ61をそれぞれ振幅変復調させるために、ＣＣＤ撮像素子５１、６１のサンプリング出力信号のクロック信号Ｓ51a、Ｓ61aのｎ倍（ｎは２以上の正の整数）、ここでは周波数が異なるクロック信号Ｓ51aの２倍の搬送波Ｓ52、クロック信号Ｓ61aの４倍の搬送波Ｓ62をそれぞれ出力するタイミング発生器５２、６２と、前述の搬送波Ｓ52、Ｓ62によりそれぞれ動作制御され切り替えられるアナログスイッチ５３、６３と、アナログスイッチ５３、６３よりそれぞれ出力される振幅変調された画素振幅変調信号Ｓ53、Ｓ63の伝送を中継してペアー線Ｌ51、Ｌ61を介して映像検波素子５５、６５にそれぞれ送出するトランス５４、６４と、ペアー線Ｌ51、Ｌ61をそれぞれ伝送された画素振幅変調信号Ｓ53、Ｓ63を２倍のクロック信号検波回路５６、４倍のクロック信号検波回路６６にそれぞれ出力する映像検波素子５５、６５と、入力された画素振幅変調信号Ｓ53、Ｓ63を搬送波Ｓ52の２倍、搬送波Ｓ62の４倍に同期して振幅復調された画素振幅復調信号Ｓ54、Ｓ64として映像検波素子５５、６５にそれぞれ出力する２倍のクロック信号検波回路５６、４倍のクロック信号検波回路６６と、各検波素子５５、６５を介した画素振幅復調信号Ｓ54、Ｓ64を入力して離散的なカラー画素信号を組み立てる画素振幅変調信号Ｓ55、Ｓ65としてモニタ５８にそれぞれ出力する映像処理回路５７、６７と、映像処理回路５７、６７を介した画素振幅復調信号Ｓ55、Ｓ65をそれぞれ入力して各ＣＣＤ撮像素子５１、６１にて撮像されたカラー映像を構成するカラー画素を出画するモニタ５８とで構成されている。また、搬送波Ｓ52、Ｓ62はペアー線Ｌ51、Ｌ61の許容伝送帯域上限である３０MHz以下の低周波数帯域で、かつＣＣＤ撮像素子５１、６１のサンプリング出力信号のクロック信号Ｓ51a、Ｓ61aとそれぞれタイミングが合致されている。
【００１８】
タイミング発生器５２、６２の出力側にはＣＣＤ撮像素子５１、６１の制御入力側とアナログスイッチ５３、６３の制御入力側がそれぞれ接続されており、ＣＣＤ撮像素子５１、６１の出力側にはアナログスイッチ５３、６３の入力側がそれぞれ接続されている。また、アナログスイッチ５３、６３の出力側には２線の信号伝送線Ｌ52およびＬ53、Ｌ62およびＬ63をそれぞれ介してトランス５４、６４の１次側がそれぞれ接続されており、トランス５４、６４の２次側にはペアー線Ｌ51、Ｌ61をそれぞれ介して映像検波素子５５、６５の入力側がそれぞれ接続されている。更に、映像検波素子５５、６５の入出力側には２倍のクロック信号検波回路５６、４倍のクロック信号検波回路６６がそれそれ接続されており、映像検波素子５５、６５の出力側には映像処理回路５７、６７をそれぞれ介してモニタ５８が接続されている。
【００１９】
このように構成された複数チャンネル画素信号振幅変復調回路が用いられた複数チャンネルペアー線伝送カラー信号振幅変復調方式において、以下、複数チャンネルのカラー画素信号の伝送方法について説明する。
タイミング発生器５２により動作制御され能動にされた１チャンネル部のＣＣＤ撮像素子５１より出力されたカラー画素信号Ｓ51はアナログスイッチ５３に入力される。また、タイミング発生器５２はアナログスイッチ５３を動作制御して入力されたカラー画素信号Ｓ51を振幅変調させるために、ＣＣＤ撮像素子５１のサンプリング出力信号のクロック信号Ｓ51aの２倍の搬送波Ｓ52をアナログスイッチ５３に出力する。
【００２０】
アナログスイッチ５３に入力されたカラー画素信号Ｓ51は搬送波Ｓ52で振幅変調された画素振幅変調信号Ｓ53として、アナログスイッチ５３の動作制御によりその接続が交互に切り替わる２線の信号伝送線Ｌ52、Ｌ53、トランス５４、ペアー線Ｌ51を介して映像検波素子５５に入力される。
映像検波素子５５に入力された画素振幅変調信号Ｓ53は２倍のクロック信号検波回路５６に伝送され、２倍のクロック信号検波回路５６は入力された画素振幅変調信号Ｓ53をクロック信号Ｓ51aとタイミングが合致された搬送波Ｓ52に同期して復調された画素振幅復調信号Ｓ54として映像検波素子５６を介して映像処理回路５７に出力する。映像処理回路５７は入力された画素振幅復調信号Ｓ54を離散的なカラー画素信号を組み立てる画素振幅復調信号Ｓ55としてモニタ５８に出力する。
【００２１】
次に、タイミング発生器６２により動作制御され能動にされた２チャンネル部のＣＣＤ撮像素子６１より出力されたカラー画素信号Ｓ61はアナログスイッチ６３に入力される。また、タイミング発生器６２はアナログスイッチ６３を動作制御して入力されたカラー画素信号Ｓ61を振幅変調させるために、ＣＣＤ撮像素子６１のサンプリング出力信号のクロック信号Ｓ61aの４倍の搬送波Ｓ62をアナログスイッチ６３に出力する。
【００２２】
アナログスイッチ６３に入力されたカラー画素信号Ｓ61は搬送波Ｓ62で振幅変調された画素振幅変調信号Ｓ63として、アナログスイッチ６３の動作制御によりその接続が交互に切り替わる２線の信号伝送線Ｌ62、Ｌ63、トランス６４、ペアー線Ｌ61を介して映像検波素子６５に入力される。
映像検波素子６５に入力された画素振幅変調信号Ｓ63は４倍のクロック信号検波回路６６に伝送され、４倍のクロック信号検波回路６６は入力された画素振幅変調信号Ｓ63をクロック信号Ｓ61aとタイミングが合致された搬送波Ｓ62に同期して復調された画素振幅復調信号Ｓ64として映像検波素子６６を介して映像処理回路６７に出力する。映像処理回路６７は入力された画素振幅復調信号Ｓ64を離散的なカラー画素信号を組み立てる画素振幅復調信号Ｓ65としてモニタ５８に出力する。よって、モニタ５８に入力された複数チャンネル（２チャンネル分）の各画素振幅復調信号Ｓ55、Ｓ65には不要な干渉波が存在せずカラー画素信号Ｓ51、Ｓ61のサンプリングクロック信号Ｓ51a、Ｓ61aにタイミングを一致させて変復調することが可能であることから、各ＣＣＤ撮像素子５１、６１にて撮像されたカラー映像を構成するカラー画素は色ずれを生じずに撮像されたそのままの正常な色でモニタ５８にて出画することができる。
【００２３】
尚、上記一実施例および他の実施例では、複数チャンネルで伝送される該カラー映像信号および該カラー画素信号を２チャンネル分について説明したが、これに限定されず、より複数のチャンネルで前述の各信号を低周波数帯域の搬送波で変復調させて伝送することができる。
【００２４】
【発明の効果】
以上の説明から明らかなように、本発明の複数チャンネルペアー線伝送カラー信号振幅変復調方式によれば、複数チャンネルのＣＣＤ撮像素子より出力されるカラーの映像信号および画素信号を、それぞれ周波数が異なる映像信号のバースト信号のｎ、ｎ＋２、ｎ＋４、・・・倍（ここでは、２倍）、ＣＣＤ撮像素子のサンプリング出力信号のクロック信号のｎ、ｎ＋２、ｎ＋４、・・・倍（ここでは、４倍）でタイミングが合致された低周波数帯域の搬送波で変復調させて伝送することにより、複数チャンネルのカラー信号の変調のタイミングがバースト信号やサンプリング出力信号のクロック信号と同一で、かつ復調される映像信号や画素信号の振幅、位相の変化が低減されることから、複数チャンネルのカラー信号に混入する干渉波を低減させてＣＣＤ撮像素子にて撮像されたそのままの正常な色のカラー映像およびカラー画素をモニタにて出画することができ、特に２チャンネルの伝送が従来の白黒映像信号２チャンネルの帯域で伝送可能である。
【図面の簡単な説明】
【図１】本発明による複数チャンネルペアー線伝送カラー信号振幅変復調方式の一実施例に用いられた複数チャンネル映像信号振幅変復調回路の構成を示すブロック図。
【図２】本発明による複数チャンネルペアー線伝送カラー信号振幅変復調方式の他の実施例に用いられた複数チャンネル画素信号振幅変復調回路の構成を示すブロック図。
【図３】従来の複数チャンネルペアー線伝送カラー信号周波数変復調方式に用いられた複数チャンネル映像信号周波数変復調回路の構成を示すブロック図。
【符号の説明】
５１、６１（１、１１、５１、６１）・・・・・ＣＣＤ撮像素子
Ｓ1、Ｓ11・・・・・カラー映像信号
Ｓ1a、Ｓ11a・・・・・（カラー映像信号の）バースト信号
Ｓ51、Ｓ61・・・・・カラー画素信号
Ｓ51a、Ｓ61a・・・・・（ＣＣＤ撮像素子のサンプリング出力信号の）クロック信号
Ｓ2、Ｓ12、Ｓ52、Ｓ62・・・・搬送波
Ｌ1、Ｌ11、Ｌ51、Ｌ61・・・・・ペアー線
【図１】
0004086213.tif 000002
【図２】
0004086213.tif 000003
【図３】
0004086213.tif 000004